(57)【特許請求の範囲】
【請求項１】
リレーノードが無線基地局に接続する接続方法であって、
前記リレーノードが、前記無線基地局に対して、移動局との間の無線区間において使用する周波数帯としてサポートしている第１周波数帯を通知する工程Ａと、
前記無線基地局が、前記第１周波数帯を用いて、前記リレーノードと前記移動局との間の無線区間において使用する運用周波数及び帯域幅を決定する工程Ｂと、
前記無線基地局が、前記リレーノードに対して、決定した前記運用周波数及び前記帯域幅を通知する工程Ｃと、
前記無線基地局が、運用保守サーバから、前記リレーノードと前記移動局との間の無線区間で使用可能な周波数帯を取得する工程Ｄとを有し、
前記工程Ｂにおいて、前記無線基地局は、前記第１周波数帯及び前記運用保守サーバから取得した前記周波数帯を用いて、前記運用周波数及び前記帯域幅を決定することを特徴とする接続方法。
【請求項２】
前記リレーノードにおいて、前記第１周波数帯は、該リレーノードと前記無線基地局との間の無線区間において使用する周波数帯としてサポートしている第２周波数帯と同一で
あり、
前記工程Ａにおいて、前記リレーノードは、前記無線基地局に対して、前記第１周波数帯を含まず前記第２周波数帯を含むメッセージを送信することを特徴とする請求項１に記載の接続方法。
【請求項３】
リレーノードが接続可能な無線基地局であって、
前記リレーノードと前記無線基地局との接続手順において、該リレーノードから、移動局との間の無線区間において使用する周波数帯としてサポートしている第１周波数帯を取得するように構成されている取得部と、
前記接続手順において、前記第１周波数帯を用いて、前記リレーノードと前記移動局との間の無線区間において使用する運用周波数及び帯域幅を決定するように構成されている決定部と、
前記接続手順において、前記リレーノードに対して、決定した前記運用周波数及び前記帯域幅を通知するように構成されている通知部とを具備し、
前記取得部は、運用保守サーバから、前記リレーノードと前記移動局との間の無線区間で使用可能な周波数帯を取得するように構成されており、
前記決定部は、前記第１周波数帯及び前記運用保守サーバから取得した前記周波数帯を用いて、前記運用周波数及び前記帯域幅を決定することを特徴とする無線基地局。
【請求項４】
前記リレーノードにおいて、前記第１周波数帯は、該リレーノードと前記無線基地局との間の無線区間において使用する周波数帯としてサポートしている第２周波数帯と同一であり、
前記取得部は、前記リレーノードから前記第２周波数帯を取得し、取得した該第２周波数帯を前記第１周波数帯と見做すことを特徴とする請求項３に記載の無線基地局。
【発明の詳細な説明】
【技術分野】
【０００１】
本発明は、接続方法及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、無線基地局ＤｅＮＢ（Ｄｏｎｅｒ  ｅＮＢ）に対して、Ｕｎインターフェイスを介して接続可能なリレーノードＲＮ（Ｒｅｌａｙ  Ｎｏｄｅ）を用いることができる。
【０００３】
リレーノードＲＮは、Ｕｎインターフェイスを介して無線基地局ＤｅＮＢとの間で無線通信を行い、Ｕｕインターフェイスを介して移動局ＵＥとの間で無線通信を行うように構成されている。
【先行技術文献】
【非特許文献】
【０００４】
【非特許文献１】３ＧＰＰ  ＴＳ３６.３００（Ｖ１０.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２０１０年６月
【非特許文献２】３ＧＰＰ  ＴＲ３６.８１４（Ｖ９.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２０１０年３月
【非特許文献３】３ＧＰＰ  ＴＳ３６.３３１（Ｖ９.３.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２０１０年６月
【発明の概要】
【発明が解決しようとする課題】
【０００５】
しかしながら、ＬＴＥ-Ａｄｖａｎｃｅｄ方式では、Ｕｕインターフェイスが用いられる無線区間（以下、Ｕｕ区間）において使用する運用周波数及び帯域幅をどのようにして決定すべきか規定されていないという問題点があった。
【０００６】
そこで、本発明は、上述の課題に鑑みてなされたものであり、Ｕｕ区間において使用する運用周波数及び帯域幅を適切に決定することができる接続方法及び無線基地局を提供することを目的とする。
【課題を解決するための手段】
【０００７】
本発明の第１の特徴は、リレーノードが無線基地局に接続する接続方法であって、前記リレーノードが、前記無線基地局に対して、移動局との間の無線区間において使用する周波数帯としてサポートしている第１周波数帯を通知する工程Ａと、前記無線基地局が、前記第１周波数帯を用いて、前記リレーノードと前記移動局との間の無線区間において使用する運用周波数及び帯域幅を決定する工程Ｂと、前記無線基地局が、前記リレーノードに対して、決定した前記運用周波数及び前記帯域幅を通知する工程Ｃとを有することを要旨とする。
【０００８】
本発明の第２の特徴は、リレーノードが接続可能な無線基地局であって、前記リレーノードと前記無線基地局との接続手順において、該リレーノードから、移動局との間の無線区間において使用する周波数帯としてサポートしている第１周波数帯を取得するように構成されている取得部と、前記接続手順において、前記第１周波数帯を用いて、前記リレーノードと前記移動局との間の無線区間において使用する運用周波数及び帯域幅を決定するように構成されている決定部と、前記接続手順において、前記リレーノードに対して、決定した前記運用周波数及び前記帯域幅を通知するように構成されている通知部とを具備することを要旨とする。
【発明の効果】
【０００９】
以上説明したように、本発明によれば、Ｕｕ区間において使用する運用周波数及び帯域幅を適切に決定することができる接続方法及び無線基地局を提供することができる。
【図面の簡単な説明】
【００１０】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を示すシーケンス図である。
【図４】本発明の第１の実施形態に係る移動通信システムで用いられる「ＲＲＣ  ＵＥ（ＲＮ）  Ｃａｐａｂｉｌｉｔｙ  Ｉｎｆｏｒｍａｔｉｏｎ」内の情報要素「ＵＥ-ＥＵＴＲＡ-Ｃａｐａｂｉｌｉｔｙ」のフォーマットの一例を示す図である。
【発明を実施するための形態】
【００１１】
（本発明の第１の実施形態に係る移動通信システム）
図１乃至図４を参照して、本発明の第１の実施形態に係る移動通信システムについて説明する。
【００１２】
本実施形態に係る移動通信システムは、ＬＴＥ-Ａｄｖａｎｃｅｄ方式の移動通信システムであって、図１に示すように、移動管理ノードＭＭＥ（Ｍｏｂｉｌｉｔｙ  Ｍａｎａｇｅｍｅｎｔ  Ｅｎｔｉｔｙ）と、無線基地局ＤｅＮＢと、リレーノードＲＮと、Ｏ＆Ｍ（Ｏｐｅｒａｔｉｏｎ  ＆  Ｍａｉｎｔｅｎａｎｃｅ）サーバとを具備している。
【００１３】
リレーノードＲＮは、Ｕｎインターフェイスを介して無線基地局ＤｅＮＢとの間で無線通信を行い、Ｕｕインターフェイスを介して移動局ＵＥとの間で無線通信を行うように構成されている。
【００１４】
図２に示すように、無線基地局ＤｅＮＢは、取得部１１と、決定部１２と、通知部１３とを具備している。
【００１５】
取得部１１は、リレーノードＲＮと無線基地局ＤｅＮＢとの接続手順において、リレーノードＲＮから、Ｕｕ区間において使用する周波数帯としてサポートしている第１周波数帯（例えば、１.７ＧＨｚ帯や２ＧＨｚ帯等）を取得するように構成されている。
【００１６】
例えば、取得部１１は、リレーノードＲＮによって送信された「ＲＲＣ  ＵＥ（ＲＮ）  Ｃａｐａｂｉｌｉｔｙ  Ｉｎｆｏｒｍａｔｉｏｎ」や、他のＲＲＣメッセージ（例えば、３ＧＰＰ寄書Ｒ２-１０３８７４に規定されている「ＲＮ  Ｉｎｆｏｒｍａｔｉｏｎ」等）等から、第１周波数帯を取得するように構成されていてもよい。
【００１７】
また、リレーノードＲＮにおいて、かかる第１周波数帯が、Ｕｎインターフェイスが用いられる無線区間（以下、Ｕｎ区間）において使用する周波数帯としてサポートしている第２周波数帯（例えば、１.７ＧＨｚ帯や２ＧＨｚ帯等）と同一である場合、取得部１１は、リレーノードＲＮによって送信された「ＲＲＣ  ＵＥ（ＲＮ）  Ｃａｐａｂｉｌｉｔｙ  Ｉｎｆｏｒｍａｔｉｏｎ」に含まれる第２周波数帯を取得し、取得した第２周波数帯を第１周波数帯と見做すように構成されていてもよい。
【００１８】
また、取得部１１は、任意のタイミングで、Ｏ＆Ｍサーバから、Ｕｕ区間で使用可能な周波数帯を取得するように構成されている。
【００１９】
決定部１２は、上述の接続手順において、取得部１１によって取得された第１周波数帯を用いて、Ｕｕ区間において使用する運用周波数（ｃａｒｒｉｅｒ  ｆｒｅｑｕｅｎｃｙ）及び帯域幅（ｂａｎｄ）を決定するように構成されている。
【００２０】
ここで、決定部１２は、運用周波数として、３ＧＰＰのＴＳ３６.１０１の５.７.３章に規定されている「ＥＡＲＦＣＮ（ＥＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）」を決定し、帯域幅として、３ＧＰＰのＴＳ３６.１０１の５.５章に規定されている「Ｏｐｅｒａｔｉｎｇ  ｂａｎｄ」を決定してもよい。
【００２１】
具体的には、決定部１２は、上述の第１周波数帯及びＯ＆Ｍサーバから取得された周波数帯を用いて、上述の運用周波数及び帯域幅を決定するように構成されている。
【００２２】
通知部１３は、上述の接続手順において、リレーノードＲＮに対して、決定部１２によって決定された運用周波数及び帯域幅を通知するように構成されている。
【００２３】
例えば、通知部１３は、「ＲＲＣ  ＲＮ  Ｃｏｎｆｉｇｕｒａｔｉｏｎ」や、他のＲＲＣメッセージを用いて、上述の運用周波数及び帯域幅を通知するように構成されている。
【００２４】
以下、図３乃至図４を参照して、本実施形態に係る移動通信システムにおけるリレーノードＲＮと無線基地局ＤｅＮＢとの接続手順について説明する。
【００２５】
図３に示すように、ステップＳ１００１において、リレーノードＲＮは、無線基地局ＤｅＮＢに対して、「ＲＲＣ  Ｃｏｎｎｅｃｔｉｏｎ  Ｒｅｑｕｅｓｔ」を送信する。
【００２６】
ステップＳ１００２において、無線基地局ＤｅＮＢは、リレーノードＲＮに対して、「ＲＲＣ  Ｃｏｎｎｅｃｔｉｏｎ  Ｓｅｔｕｐ」を送信する。
【００２７】
ステップＳ１００３において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００２８】
ステップＳ１００４において、無線基地局ＤｅＮＢは、移動管理ノードＭＭＥに対して、「Ｉｎｉｔｉａｌ  ＵＥ  Ｍｅｓｓａｇｅ」を送信する。
【００２９】
ステップＳ１００５において、「Ａｕｔｈｅｎｔｉｃａｔｉｏｎ/Ｓｅｃｕｒｉｔｙ」処理が行われる。
【００３０】
ステップＳ１００６において、移動管理ノードＭＭＥは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００３１】
ステップＳ１００７において、無線基地局ＤｅＮＢは、リレーノードＲＮに対して、「ＲＲＣ  ＵＥ（ＲＮ）  Ｃａｐａｂｉｌｉｔｙ  Ｅｎｑｕｉｒｙ」を送信する。
【００３２】
ステップＳ１００８において、リレーノードＲＮは、無線基地局ＤｅＮＢに対して、「ＲＲＣ  ＵＥ（ＲＮ）  Ｃａｐａｂｉｌｉｔｙ  Ｉｎｆｏｒｍａｔｉｏｎ」を送信する。
【００３３】
ここで、リレーノードＲＮは、例えば、図４に示すように、「ＲＲＣ  ＵＥ（ＲＮ）  Ｃａｐａｂｉｌｉｔｙ  Ｉｎｆｏｒｍａｔｉｏｎ」内の情報要素「ＵＥ-ＥＵＴＲＡ-Ｃａｐａｂｉｌｉｔｙ」内の情報要素「ＳｕｐｐｏｒｔｅｄＢａｎｄＥＵＴＲＡ」によって、Ｕｕ区間において使用する周波数帯としてサポートしている第１周波数帯及びＵｎ区間において使用する周波数帯としてサポートしている第２周波数帯を通知してもよい。
【００３４】
或いは、リレーノードＲＮは、例えば、図４に示すように、「ＲＲＣ  ＵＥ（ＲＮ）  Ｃａｐａｂｉｌｉｔｙ  Ｉｎｆｏｒｍａｔｉｏｎ」内の情報要素「ＵＥ-ＥＵＴＲＡ-Ｃａｐａｂｉｌｉｔｙ」内の情報要素「ＳｕｐｐｏｒｔｅｄＢａｎｄＥＵＴＲＡ」によって、Ｕｎ区間において使用する周波数帯としてサポートしている第２周波数帯を通知し、情報要素「ＵＥ-ＥＵＴＲＡ-Ｃａｐａｂｉｌｉｔｙ」内の別の情報要素（新規に定義）によって、Ｕｕ区間において使用する周波数帯としてサポートしている第１周波数帯を通知してもよい。
【００３５】
ステップＳ１００９において、無線基地局ＤｅＮＢは、移動管理ノードＭＭＥに対して、「ＵＥ（ＲＮ）  Ｃａｐａｂｉｌｉｔｙ  Ｉｎｆｏ  Ｉｎｄｉｃａｔｉｏｎ」を送信する。
【００３６】
無線基地局ＤｅＮＢは、リレーノードＲＮに対して、ステップＳ１０１０において、「Ｓｅｃｕｒｉｔｙ  Ｍｏｄｅ  Ｃｏｍｍａｎｄ」を送信し、ステップＳ１０１１において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００３７】
リレーノードＲＮは、無線基地局ＤｅＮＢに対して、ステップＳ１０１２において、「Ｓｅｃｕｒｉｔｙ  Ｍｏｄｅ  Ｃｏｍｐｌｅｔｅ」を送信し、ステップＳ１０１３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００３８】
ステップＳ１０１４において、無線基地局ＤｅＮＢは、移動管理ノードＭＭＥに対して、「Ｉｎｉｔｉａｌ  Ｃｏｎｔｅｘｔ  Ｓｅｔｕｐ  Ｒｅｓｐｏｎｓｅ」を送信する。
【００３９】
ステップＳ１０１５において、リレーノードＲＮは、移動管理ノードＭＭＥに対して、「Ａｔｔａｃｈ  Ｃｏｍｐｌｅｔｅ」を送信する。
【００４０】
ステップＳ１０１６において、無線基地局ＤｅＮＢは、事前にＯ＆Ｍサーバから取得しているＵｕ区間で使用可能な周波数帯及びステップＳ１００８において取得した第１周波数帯を用いて、Ｕｕ区間において使用する運用周波数及び帯域幅を決定し、リレーノードＲＮに対して、かかる運用周波数及び帯域幅を含む「ＲＲＣ  ＲＮ  Ｃｏｎｆｉｇｕｒａｔｉｏｎ」を送信する。
【００４１】
ステップＳ１０１７において、リレーノードＲＮは、「ＲＲＣ  ＲＮ  Ｃｏｎｆｉｇｕｒａｔｉｏｎ」に含まれる運用周波数及び帯域幅を、Ｕｕ区間において使用する運用周波数及び帯域幅として設定し、無線基地局ＤｅＮＢに対して、「ＲＲＣ  ＲＮ  Ｃｏｎｆｉｇｕｒａｔｉｏｎ  Ｃｏｍｐｌｅｔｅ」を送信する。
【００４２】
本実施形態に係る移動通信システムによれば、無線基地局ＤｅＮＢが、リレーノードＲＮがＵｕ区間において使用する周波数帯としてサポートしている第１周波数帯を用いて、Ｕｕ区間において使用する運用周波数及び帯域幅を決定し、リレーノードＲＮに通知することによって、リレーノードＲＮにおいて、Ｕｕ区間において使用する運用周波数及び帯域幅を適切に決定することができる。
【００４３】
（変更例１）
以下、変更例１に係る移動通信システムについて、上述の第１の実施形態に係る移動通信システムとの相違点に着目して説明する。
【００４４】
変更例１に係る移動通信システムでは、無線基地局ＤｅＮＢの決定部１２は、上述の接続手順において、上述の第１周波数帯及びＯ＆Ｍサーバから取得された周波数帯を用いて、リレーノードＲＮが「アウトバンド（ｏｕｔｂａｎｄ）運用」を行うべきか或いは「インバンド（ｉｎｂａｎｄ）運用」を行うべきかについて決定するように構成されている。
【００４５】
ここで、リレーノードＲＮは、「インバンド運用」を行う場合、Ｕｕ区間において使用する運用周波数及び帯域幅として、Ｕｎ区間において使用している運用周波数及び帯域幅を用いるように構成されている。
【００４６】
一方、リレーノードＲＮは、「アウトンバンド運用」を行う場合、Ｕｕ区間において使用する運用周波数及び帯域幅として、Ｕｎ区間において使用している運用周波数及び帯域幅以外の運用周波数及び帯域幅を用いるように構成されている。
【００４７】
また、無線基地局ＤｅＮＢの通知部１３は、リレーノードＲＮに対して、決定部１２による決定結果について通知するように構成されている。
【００４８】
リレーノードＲＮは、無線基地局ＤｅＮＢによって、「インバンド運用」を行うべきであると通知された場合には、Ｕｕ区間において使用する運用周波数及び帯域幅として、Ｕｎ区間において使用している運用周波数及び帯域幅を用いるように構成されている。
【００４９】
一方、リレーノードＲＮは、無線基地局ＤｅＮＢによって、「アウトバンド運用」を行うべきであると通知された場合には、Ｕｕ区間において使用する運用周波数及び帯域幅として、第１周波数帯の中から、Ｕｎ区間において使用している運用周波数及び帯域幅以外の運用周波数及び帯域幅を選択するように構成されている。
【００５０】
（変更例２）
以下、変更例２に係る移動通信システムについて、上述の第１の実施形態に係る移動通信システムとの相違点に着目して説明する。
【００５１】
無線基地局ＤｅＮＢの決定部１２は、上述の接続手順において、無線基地局ＤｅＮＢ配下のセルのＰＣＩ（Ｐｈｙｓｉｃａｌ  Ｃｅｌｌ  ＩＤ）とリレーノードＲＮ配下のセルのＰＣＩとが重ならないように、リレーノードＲＮ配下のセルのＰＣＩを決定するように構成されている。
【００５２】
無線基地局ＤｅＮＢの通知部１３は、上述の接続手順において、リレーノードＲＮに対して、ＲＲＣメッセージを用いて、決定部１２によって決定されたリレーノードＲＮ配下のセルのＰＣＩを通知するように構成されている。
【００５３】
以上に述べた本実施形態の特徴は、以下のように表現されていてもよい。
【００５４】
本実施形態の第１の特徴は、リレーノードＲＮが無線基地局ＤｅＮＢに接続する接続方法であって、リレーノードＲＮが、無線基地局ＤｅＮＢに対して、Ｕｕ区間（移動局ＵＥとの間の無線区間）において使用する周波数帯としてサポートしている第１周波数帯を通知する工程Ａと、無線基地局ＤｅＮＢが、第１周波数帯を用いて、Ｕｕ区間（リレーノードＲＮと移動局ＵＥとの間の無線区間）において使用する運用周波数（ＥＡＲＦＣＮ）及び帯域幅（Ｂａｎｄ）を決定する工程Ｂと、無線基地局ＤｅＮＢが、リレーノードＲＮに対して、決定した運用周波数及び帯域幅を通知する工程Ｃとを有することを要旨とする。
【００５５】
本実施形態の第１の特徴において、リレーノードＲＮにおいて、第１周波数帯は、Ｕｎ区間（リレーノードＲＮと無線基地局ＤｅＮＢとの間の無線区間）において使用する周波数帯としてサポートしている第２周波数帯と同一であり、工程Ａにおいて、リレーノードＲＮは、無線基地局ＤｅＮＢに対して、第１周波数帯を含まず第２周波数帯を含む「ＲＲＣ  ＵＥ（ＲＮ）  Ｃａｐａｂｉｌｉｔｙ  Ｉｎｆｏｒｍａｔｉｏｎ（メッセージ）」を送信してもよい。
【００５６】
本実施形態の第１の特徴において、無線基地局ＤｅＮＢが、Ｏ＆Ｍサーバ（運用保守サーバ）から、Ｕｕ区間（リレーノードＲＮと移動局ＵＥとの間の無線区間）で使用可能な周波数帯を取得する工程を有し、工程Ｂにおいて、無線基地局ＤｅＮＢは、第１周波数帯及びＯ＆Ｍサーバから取得した周波数帯を用いて、Ｕｕ区間において使用する運用周波数及び帯域幅を決定してもよい。
【００５７】
本実施形態の第２の特徴は、リレーノードＲＮが接続可能な無線基地局ＤｅＮＢであって、リレーノードＲＮと無線基地局ＤｅＮＢとの接続手順において、リレーノードＲＮから、Ｕｕ区間において使用する周波数帯としてサポートしている第１周波数帯を取得するように構成されている取得部１１と、かかる接続手順において、第１周波数帯を用いて、Ｕｕ区間において使用する運用周波数及び帯域幅を決定するように構成されている決定部１２と、かかる接続手順において、リレーノードＲＮに対して、決定した運用周波数及び帯域幅を通知するように構成されている通知部１３とを具備することを要旨とする。
【００５８】
本実施形態の第２の特徴において、リレーノードＲＮにおいて、第１周波数帯は、Ｕｎ区間において使用する周波数帯としてサポートしている第２周波数帯と同一であり、取得部１１は、リレーノードＲＮから第２周波数帯を取得し、取得した第２周波数帯を第１周波数帯と見做すように構成されていてもよい。
【００５９】
本実施形態の第２の特徴において、取得部１１は、Ｏ＆Ｍサーバから、Ｕｕ区間で使用可能な周波数帯を取得するように構成されており、決定部１２は、第１周波数帯及びＯ＆Ｍサーバから取得した周波数帯を用いて、運用周波数及び帯域幅を決定するように構成されていてもよい。
【００６０】
なお、上述の移動管理ノードＭＭＥや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ＤｅＮＢやリレーノードＲＮや移動局ＵＥ内に設けられていてもよい。また、かかる記憶媒体及びプロセッサは、ディスクリートコンポーネントとして移動管理ノードＭＭＥや無線基地局ＤｅＮＢやリレーノードＲＮや移動局ＵＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６４】
ＵＥ…移動局
ＭＭＥ…移動管理ノード
ＲＮ…リレーノード
ＤｅＮＢ…無線基地局
１１…取得部
１２…決定部
１３…通知部
【図１】
0005508184.tif 000002
【図２】
0005508184.tif 000003
【図３】
0005508184.tif 000004
【図４】
0005508184.tif 000005